(57)【要約】【課題】輸送対象粉体の粉末の大気中への暴露、飛散を防止する。【解決手段】粉末投入ホッパ２の下端に開閉機構２６を介在させて接続した粉末送出管５と、空気輸送機８の流入口１０とを空気輸送配管１６を介し接続して、粉末投入ホッパ２から輸送対象粉体１を空気輸送機８へ導入させるようにする。上記空気輸送配管１６の空気輸送機８側端部に開閉弁１８を設け、その近傍位置の空気輸送配管１６に開閉弁２１付きの洗浄剤注入口２０を設ける。粉末送出管５にドレン弁２３付きのドレン口２４を設ける。空気輸送配管１６を洗浄する場合は、開閉機構２６にて粉末投入ホッパ２の下端を閉じ、開閉弁１８を閉じて空気輸送機８を遮断した後、洗浄剤注入口２０の開閉弁２１とドレン弁２３を開き、洗浄剤注入口２０より注入した洗浄剤１９を空気輸送配管１６内を流通させた後、ドレン口２４より排出させる。【選択図】        図１
2004244206.tif 000002
【特許請求の範囲】
【請求項１】
輸送対象粉体を空気とともに輸送するようにしてある空気輸送配管内を洗浄するとき、該空気輸送配管の少なくとも一端側を閉塞させた後、該空気輸送配管内に洗浄剤を注入して他端側より排出させるように流通させるようにして、空気輸送配管内を洗浄することを特徴とする空気輸送配管の洗浄方法。
【請求項２】
輸送対象粉体を空気とともに輸送するようにしてある空気輸送配管内を洗浄するとき、該空気輸送配管の両端側を閉塞させた後、該空気輸送配管内に洗浄剤を注入して充満させるようにし、しかる後、上記空気輸送配管内から洗浄剤を排出して該空気輸送配管を取り外して洗浄することを特徴とする空気輸送配管の洗浄方法。
【請求項３】
輸送対象粉体を空気の流れに同伴させて送出できるようにしてある粉体送出部から、空気の流れに同伴される輸送対象粉体を受け入れて空気より分離して回収できるようにしてある粉体回収部まで輸送対象粉体を空気とともに輸送するようにしてある空気輸送配管内を洗浄するとき、該空気輸送配管の上記粉体回収部側の一端部側を閉塞させた後、該空気輸送配管内に洗浄剤を注入し流通させて他端部側より排出させるようにして、上記空気輸送配管内に付着、残留する輸送対象粉体を除去し空気輸送配管内を洗浄することを特徴とする空気輸送配管の洗浄方法。
【請求項４】
輸送対象粉体を空気の流れに同伴させて送出できるようにしてある粉体送出部から、空気の流れに同伴される輸送対象粉体を受け入れて空気より分離して回収できるようにしてある粉体回収部まで輸送対象粉体を空気とともに輸送するようにしてある空気輸送配管内を洗浄するとき、該空気輸送配管の上記粉体回収部側の一端部側と他端部側を閉塞させた後、該空気輸送配管内に洗浄剤を注入して空気輸送配管内に充満させ、次いで、上記空気輸送管内に充満させた洗浄剤を排出させ、しかる後、上記空気輸送配管を、粉体送出部及び粉体回収部より取り外してから該空気輸送配管内に付着、残留する輸送対象粉体を除去し空気輸送配管内を洗浄することを特徴とする空気輸送配管の洗浄方法。
【請求項５】
輸送対象粉体を空気の流れに同伴させて送出できるようにしてある粉体送出部から、空気の流れに同伴される輸送対象粉体を受け入れて空気より分離して回収できるようにしてある粉体回収部まで輸送対象粉体を空気とともに輸送するようにしてある空気輸送配管の上記粉体回収部側の一端部側に、開閉弁を設けると共に、上記粉体送出部に接続される他端部側を開閉自在なドレン弁付きのドレン口に連通させ、且つ上記空気輸送配管の上記開閉弁近傍位置又は粉体送出部への接続部寄りの端部位置のいずれか一方に、開閉弁付きの洗浄剤注入口を設けてなる構成を有することを特徴とする空気輸送配管の洗浄装置。
【発明の詳細な説明】
【０００１】
【発明の属する技術分野】
本発明は粉体の空気輸送に使用する空気輸送配管の洗浄方法及び装置に関するものである。
【０００２】
【従来の技術】
粉体の輸送方法の一つとして、配管中に空気を流通させ、この空気の流れに輸送対象となる粉体を乗せて同伴させることにより、上記輸送対象粉体の移送を行う空気輸送方法が広く一般に知られている。
【０００３】
かかる空気輸送方法を実施する設備は、図３にその一例の概略を示す如く、輸送対象粉体１の移送を望む経路の起点個所に、粉体送出部として、たとえば、頂部にスプリットバタフライ弁３を備えて輸送対象粉体１の収納容器４を着脱自在に接続できるようにしてなる粉末投入ホッパ２と、一端側に空気吸入用のフィルタ６を備え且つ他端部に配管接続部（たとえばフランジ）７を備えて長手方向中間部に上記粉末投入ホッパ２の下端を連通接続してなる粉末送出管５とを設置した構成とし、一方、上記輸送対象粉体１の移送を望む経路の終点個所に、粉体回収部としての空気輸送機８を設置する。該空気輸送機８は、たとえば、円筒型のケーシング９の側壁部所要位置にケーシング９内に接線方向より気体を流入させることができるように流入口１０を設け、且つケーシング９の頂部に排気口１１を備えて該排気口１１に図示しない誘引送風機あるいは真空ポンプの吸入側を接続するようにし、更に、上記ケーシング９の下側に、下端に輸送対象粉体１の充填用容器１２の上端開口部を着脱自在に接続できるスプリットバタフライ弁１３を備えたホッパ１４を設けて、空気１５と一緒に該空気１５の流れに同伴される粉体１を流入口１０よりケーシング９内に受け入れて、該粉体１と空気１５を遠心分離して粉体１を回収できるようにしたサイクロン形式の構成とするか、又は、側壁部所要位置に流入口１０を、頂部に排気口１１をそれぞれ設け、且つ下部に上記と同様のホッパ１４を備えてなるケーシング９内に、図示しない濾過材を上記流入口１０と排気口１１との間を仕切るように配設して、空気１５の流れに同伴される粉体１を流入口１０よりケーシング９内に受け入れると共に、上記濾過材にて濾過処理することにより粉体１を空気１５より分離、回収できるようにしたバグフィルタ形式の構成としてあり、上記粉末送出管５の配管接続部７と、空気輸送機８の流入口１０との間に、空気輸送配管１６を介在させるよう配置すると共に、該空気輸送配管１６の両端部を、上記粉末送出５管の配管接続部７と、空気輸送機８の流入口１０に、それぞれ着脱可能に接続してなる構成としてある。
【０００４】
上記構成としてある空気輸送設備を用いて輸送対象となる粉体１の輸送を行う場合には、上記誘引送風機あるいは真空ポンプを駆動して空気輸送機８の排気口１１側より空気１５を吸引することにより、フィルタ６を通して空気１５を粉末送出管５内に取り込むと共に、該粉末送出管５、空気輸送配管１６を経て空気輸送機８に向かう空気１５の流れを形成させ、この空気１５の流れが粉末送出管５内を流通しているときに、粉末投入ホッパ２より輸送対象粉体１を落下供給して、該輸送対象粉体１を上記空気１５の流れに乗せて同伴させるようにしてあり、この空気１５の流れに同伴される輸送対象粉体１を、空気輸送配管１６を経て空気輸送機８まで移送した後、該空気輸送機８の流入口１０よりケーシング９内へ導入させるようにし、該ケーシング９内にて輸送対象粉体１を空気１５と分離させてホッパ１４へ回収すると共に、該回収された輸送対象粉体１を、自重によりホッパ１４の下端より、スプリットバタフライ弁１３を経て充填用容器１２内に落下供給して、充填させるようにしてある。
【０００５】
上記構成としてある空気輸送設備を、たとえば、製薬設備にて、所要の薬効成分を含む粉体の輸送に使用した後、輸送対象を別の薬効成分を含む粉体に切り替えて使用する等、上記空気輸送設備の運用途中で輸送対象となる粉体１の品種の切り替えを行うことがあり、この種の輸送対象粉体１の品種の切替えを行う場合、それまで輸送していた輸送対象粉体１の付着、残留物を洗浄して除去する必要が生じることがある。
【０００６】
上記のように輸送対象粉体１の付着、残留物の洗浄を行う場合、粉末投入ホッパ２や空気輸送機８には、通常、その内部に、水等の洗浄剤を噴出できるようにしてあるスプレーボール等の洗浄装置１７が設けてあり、該洗浄装置１７より洗浄剤を噴射することにより対応する粉末投入ホッパ２や空気輸送機８の内部をそれぞれ洗浄できるようにしてある。
【０００７】
上記空気輸送配管１６の洗浄を行う場合、従来は、空気輸送配管１６の両端部における粉末投入ホッパ２下端側の粉末送出管５の配管接続部７、及び、空気輸送機８の流入口１０との接続部分をそれぞれ切り離して取り外した（分解した）後、該空気輸送配管１６の内部を水等の洗浄剤により洗浄するようにしている。
【０００８】
ところで、原子力発電プラントの関連施設における高レベル廃液をガラス固化処理してなるガラス固化体の如き成形体を、移送方向を下向きから横向きに変換しながら移送する移送装置にて、上記成形体の移送時に、該成形体の一部が摩擦等によって破損したり剥離することにより生成する破砕粉体を、移送経路の途中に粉体が残ることを防止しつつ、輸送対象となる粉体が粉塵となって飛散することを防止しながら回収できるようにするための装置として、上記移送装置のケーシングの下部に連設したホッパ内に溜められる上記破砕粉体を、ホッパ下端に設けてある落とし込み用シャッタを開くことで、該落とし込み用シャッタの下側に設けてある一時貯留部に落とし込んで一旦貯留し、次に該一次貯留部へ洗浄水を供給した後、一時貯留部下端の落とし込み用シャッタを開放して、上記破砕粉体を、洗浄水と一緒に一時貯留部より移送先となる濾過手段へ向けて排出させるようにしたものが従来提案されている（たとえば、特許文献１参照）。
【０００９】
【特許文献１】
特開平５−１３４０９７号公報
【００１０】
【発明が解決しようとする課題】
ところが、図３に示した従来の空気輸送配管１６の洗浄方法では、空気輸送していた輸送対象粉体１の粉末が空気輸送配管１６内に付着、残留したままの状態で該空気輸送配管１６を空気輸送機８及び粉末投入ホッパ２下側の粉末送出管５から切り離すようにしていたため、該空気輸送配管１６の切り離しに伴って、該空気輸送配管１６の内部に付着、残留していた輸送対象粉体１の粉末が大気中に暴露されて飛散する虞があり、特に、上記輸送対象粉体１が、薬効成分を含む等、作業者が該輸送対象粉体１を吸引することにより健康障害が引き起こされる虞が懸念されるような場合には、輸送対象粉体１が空気中に飛散しても作業者が吸い込むことを防止できるように、防護マスクや防護服を着用する等の安全対策が必要になるという問題がある。又、輸送対象粉体１の種類によっては、該輸送対象粉体１の粉末が飛散することにより、環境が汚染される可能性も懸念されるという問題がある。
【００１１】
又、特許文献１に記載された手法は、輸送対象である破砕粉体を移送して回収する際、移送経路となる一次貯留部に洗浄水を注入して、上記破砕粉体を洗浄水と一緒に押し流して移送することにより、上記移送経路である一時貯留部における粉塵を洗い流しながら破砕粉体の移送を行うものであるため、この手法を、輸送対象粉体１の移送時に適用すれば、すなわち、輸送対象粉体１を、所望する輸送経路に沿って配設してある輸送配管内にて移送するときに、洗浄水と一緒に流すようにすれば、輸送対象粉体１の輸送に使用した後の上記輸送配管を、洗浄を行うために取り外したとしても、輸送対象粉体１の粉末が大気中に暴露、飛散する虞を防止できると考えられるが、この場合、輸送対象粉体１を、移送先にて洗浄水から分離回収した後、回収された輸送対象粉体１を乾燥させる必要が生じることがあり、手間が嵩むと共に、粉体乾燥のための機器を要するため設備が複雑化するという問題があり、しかも、輸送対象粉体１が水溶性の場合には適用することが困難であるという問題がある。
【００１２】
そこで、本発明は、空気輸送配管の内面に付着、残留する輸送対象粉体の粉末を、大気中に暴露、飛散させることなく上記空気輸送配管の洗浄を行うことができるようにするための空気輸送配管の洗浄方法及び装置を提供しようとするものである。
【００１３】
【課題を解決するための手段】
本発明は、上記課題を解決するために、輸送対象粉体を空気とともに輸送するようにしてある空気輸送配管内を洗浄するとき、該空気輸送配管の少なくとも一端側を閉塞させた後、該空気輸送配管内に洗浄剤を注入して他端側より排出させるように流通させるようにして、空気輸送配管内を洗浄する空気輸送配管の洗浄方法、及び、輸送対象粉体を空気の流れに同伴させて送出できるようにしてある粉体送出部から、空気の流れに同伴される輸送対象粉体を受け入れて空気より分離して回収できるようにしてある粉体回収部まで輸送対象粉体を空気とともに輸送するようにしてある空気輸送配管の上記粉体回収部側の一端部側に、開閉弁を設けると共に、上記粉体送出部に接続される他端部側を開閉自在なドレン弁付きのドレン口に連通させ、且つ上記空気輸送配管の上記開閉弁近傍位置又は粉体送出部への接続部寄りの端部位置のいずれか一方に、開閉弁付きの洗浄剤注入口を設けてなる構成を有する空気輸送配管の洗浄装置とする。
【００１４】
輸送対象粉体の空気輸送に使用した空気輸送配管の一端部側を開閉弁にて閉塞させた後、該開閉弁の近傍位置より他端部側までの領域に洗浄剤を注入すると共に、上記領域の他端側に設けたドレン口のドレン弁を開放して上記空気輸送配管内に注入された洗浄剤を排出させるようにすると、空気輸送配管内に洗浄剤が流通させられ、このため該空気輸送配管内に付着、残留していた輸送対象粉体は、上記流通する洗浄剤により除去され、空気輸送配管内は洗浄されるようになる。
【００１５】
又、輸送対象粉体を空気とともに輸送するようにしてある空気輸送配管内を洗浄するとき、該空気輸送配管の両端側を閉塞させた後、該空気輸送配管内に洗浄剤を注入して充満させるようにし、しかる後、上記空気輸送配管内から洗浄剤を排出して該空気輸送配管を取り外して洗浄する空気輸送配管の洗浄方法とすると、空気輸送配管内に付着、残留していた輸送対象粉体を、該空気輸送配管内に洗浄剤を満たすことによって濡れた状態とさせることができる。そのため、その後、空気輸送配管を取り外すときに、上記輸送対象粉体の粉末が飛散する虞を未然に防止することができ、したがって、輸送対象粉体の粉末を作業者が吸い込む虞をなくすことができ、作業者の作業環境の向上を図ることができると共に、環境汚染を未然に防止することができる。
【００１６】
更に、輸送対象粉体を空気の流れに同伴させて送出できるようにしてある粉体送出部から、空気の流れに同伴される輸送対象粉体を受け入れて空気より分離して回収できるようにしてある粉体回収部まで輸送対象粉体を空気とともに輸送するようにしてある空気輸送配管内を洗浄するとき、該空気輸送配管の上記粉体回収部側の一端部側を閉塞させた後、該空気輸送配管内に洗浄剤を注入し流通させて他端部側より排出させるようにして、上記空気輸送配管内に付着、残留する輸送対象粉体を除去し空気輸送配管内を洗浄するようにすることにより、空気輸送配管を粉体送出部及び粉体回収部より取り外すことなく、該空気輸送配管内に付着、残留していた輸送対象粉体を、洗浄剤にて除去して、空気輸送配管内を洗浄でき、この洗浄の際、粉体回収部側へ洗浄剤が流入する虞を防止できる。
【００１７】
更に又、輸送対象粉体を空気の流れに同伴させて送出できるようにしてある粉体送出部から、空気の流れに同伴される輸送対象粉体を受け入れて空気より分離して回収できるようにしてある粉体回収部まで輸送対象粉体を空気とともに輸送するようにしてある空気輸送配管内を洗浄するとき、該空気輸送配管の上記粉体回収部側の一端部側と他端部側を閉塞させた後、該空気輸送配管内に、洗浄剤を注入して空気輸送配管内に充満させ、次いで、上記空気輸送管内に充満させた洗浄剤を排出させ、しかる後、上記空気輸送配管を、粉体送出部及び粉体回収部より取り外してから該空気輸送配管内に付着、残留する輸送対象粉体を除去し空気輸送配管内を洗浄するようにすることにより、空気輸送配管内に付着、残留していた輸送対象粉体を濡らすべく該空気輸送配管内に洗浄剤を満たすときに、粉体回収部側へ洗浄剤が流入する虞を防止できる。
【００１８】
【発明の実施の形態】
以下、本発明の実施の形態を図面を参照して説明する。
【００１９】
図１（イ）（ロ）は本発明の空気輸送配管の洗浄方法及び装置の実施の一形態を示すもので、図３に示したものと同様の輸送対象粉体１の空気輸送設備において、空気輸送配管１６の空気輸送機８側の一端部側に、開閉弁１８を設けると共に、該開閉弁１８の近傍位置に、外部より空気輸送配管１６内へ水等の洗浄剤１９を注入するための開閉弁２１付きの洗浄剤注入口２０を設けて、該洗浄剤注入口２０に図示しない洗浄剤供給部より洗浄剤１９を導くための洗浄剤供給ライン２２を接続し、更に、空気輸送配管１６の他端側が配管接続部７にて接続してある粉末送出管５の反空気輸送配管側となる他端部に、開閉自在なドレン弁２３を有するドレン口２４を開口して設けて、該ドレン口２４を、図示しない排水ホース等を介して排水口へ接続するようにした構成とする。
【００２０】
２５はフィルタ６と粉末送出管５との間に設けた開閉弁、２６は粉末投入ホッパ２の下端を開閉自在とするための開閉機構である。
【００２１】
その他の構成は図３に示したものと同様であり、同一のものには同一符号が付してある。
【００２２】
上記構成としてあるので、輸送対象粉体１の空気輸送を行う通常時は、図１（イ）に示す如く、開閉機構２６により粉末投入ホッパ２の下端を開状態とすると共に、開閉弁１８と２５を開操作し、且つ洗浄剤注入口２０の開閉弁２１と、ドレン弁２３を閉止させた状態にて、従来と同様に、空気輸送機８の排気口１１の下流側に接続してある誘引送風機あるいは真空ポンプを運転する。これにより、フィルタ６を通して導入された空気１５は、粉末送出管５、空気輸送配管１６を通して空気輸送機８へ向かう流れが形成されるため、粉末投入ホッパ２内の輸送対象粉体１を、粉末送出管５まで落下供給させることにより輸送対象粉体１は、上記空気１５の流れに同伴されて空気輸送機８まで移送され、該空気輸送機８にて空気１５と分離されてから、ホッパ１４より充填用容器１２へ落下供給されて充填される。
【００２３】
その後、輸送対象粉体１の品種の切り替え等に伴って空気輸送配管１６の洗浄が必要とされる場合には、図１（ロ）に示す如く、先ず、開閉弁１８を閉操作して空気輸送機８を遮断すると共に、開閉機構２６により粉末投入ホッパ２の下端を閉止させ、更に、開閉弁２５を閉じて粉末送出管５より空気吸入用のフィルタ６を遮断した後、ドレン弁２３を開操作した状態にて、洗浄剤注入口２０の開閉弁２１を開操作して、洗浄剤供給部より洗浄剤供給ライン２２を通して導かれる洗浄剤１９を、上記洗浄剤注入口２０を通して空気輸送配管１６内へ注入する。これにより、該空気輸送配管１６内へ注入された洗浄剤１９は、空気輸送配管１６内を開閉弁１８の近傍位置より反空気輸送機８側へほぼ全長に亘って流通させられた後、粉末送出管５を経てドレン弁２３の開放されているドレン口２４まで流通させられ、しかる後、該ドレン口２４より、排水ホースを通して排水口へ排出される。この際、上記空気輸送配管１６内に残留、付着していた輸送対象粉体１の粉末は、空気輸送配管１６内を流通される洗浄剤１９により洗浄除去され、該洗浄剤１９と一緒に粉末送出管５、ドレン弁２３、ドレン口２４を経て排出される。なお、上記空気輸送配管１６内の洗浄に供された後にドレン口２３より排水ホースを通して排水口へ排出される輸送対象粉体１６の粉末を含んだ洗浄剤１９は、必要に応じて適宜排水処理を行うようにすればよい。
【００２４】
このように、上記本発明の空気輸送配管の洗浄方法及び装置によれば、空気輸送配管１６を取り外すことなく、その内部を洗浄剤１９にて洗浄できることから、該空気輸送配管１６内に、輸送対象粉体１の粉末が付着、残留していたとしても、該粉末を、大気中に暴露させることなく洗浄でき、したがって、上記輸送対象粉体１の粉末が大気中に飛散する虞を解消できるため、作業者が防護マスクや防護服等を着用する必要をなくすことができて、作業環境の向上を図ることができると共に、輸送対象粉体１の粉末が環境へ排出されて環境汚染が生じる虞を未然に防止することができる。
【００２５】
次に、図２（イ）（ロ）は上記本発明の空気輸送配管の洗浄装置を用いた空気輸送配管の洗浄方法の実施の他の形態における手順を示すもので、図１（ロ）に示したように、空気輸送配管１６内に、洗浄剤注入口２０より洗浄剤１９を注入して流通させることのみでは該空気輸送配管１６の内面に付着した輸送対象粉体１の粉末が十分に洗浄、除去しきれない場合には、図２（イ）に示す如く、開閉弁１８を閉操作して空気輸送機８を遮断すると共に、開閉機構２６により粉末投入ホッパ２の下端部を閉塞させ、更に、開閉弁２５を閉操作してフィルタ６を粉末送出管５より遮断した後、ドレン弁２３を閉状態としたまま、洗浄剤注入口２０の開閉弁２１を開操作して、該洗浄剤注入口２０を通して空気輸送配管１６へ洗浄剤１９を注入することにより、上記空気輸送配管１６内及び粉末送出管５内を洗浄剤１９にて一旦満たすようにし、次いで、図２（ロ）に示す如く、ドレン弁２３を開操作して空気輸送配管１６内に充満されている上記洗浄剤１９をドレン口２４よりすべて排出させ、しかる後、従来と同様に、空気輸送配管１６の両端部を、空気輸送機８の流入口１０との接続部分、及び、粉末投入ホッパ２下端側の粉末送出管５の配管接続部７との接続部分から切り離して取り外し、該取り外された空気輸送配管１６の内側を洗浄するようにする。
【００２６】
この場合、上記空気輸送配管１６内に付着、残留していた輸送対象粉体１の粉末は、空気輸送配管１６内に洗浄剤１９が一旦満たされることに伴って、全面的に濡れた状態とされるため、空気輸送配管１６を取り外す際に上記輸送対象粉体１の粉末が飛散する虞を未然に防止することができ、したがって、輸送対象粉体１の粉末を作業者が吸い込む虞を未然に防止できることから、図１（イ）（ロ）に示した実施の形態と同様に、作業者の作業環境の向上を図ることができると共に、環境汚染の虞を未然に防止することができる。
【００２７】
その後、空気輸送配管１６の洗浄が終了した後は、各部品を乾燥させた後、空気輸送配管１６を取り外した場合は元のように粉末送出管５の配管接続部７及び空気輸送器８の流入口１０に接続し直して、図１（イ）に示す如き初期状態に回復させることにより、以降の輸送対象粉体１の空気輸送に備えさせるようにすればよい。
【００２８】
なお、本発明は上記実施の形態のみに限定されるものではなく、洗浄剤注入口２０より注入した洗浄剤１９をドレン口２４へ向けて流通させることにより、空気輸送配管１６の全長に亘って上記洗浄剤１９を流通させることができるようにすれば、空気輸送配管１６の空気輸送機８側端部に設けた開閉弁１８の近傍位置に、ドレン弁２３を備えたドレン口２４を開口させて設け、且つ空気輸送配管１６の他端側となる反空気輸送機８側端部に、洗浄剤注入口２０を設けてもよく、更には、空気輸送配管１６の長手方向の所要の複数個所に洗浄剤注入口２０やドレン口２４をそれぞれ設けるようにしてもよいこと、空気輸送機８は、流入口１０より空気１５と一緒に輸送対象粉体１を受け入れて、輸送対象粉体１を空気１５より分離した後回収することができれば、空気１５と輸送対象粉体１の分離はいかなる形式で行うものを用いてもよく、又、回収した輸送対象粉体１は、充填用容器１２以外の所要の機器に供給させるようにしてもよいこと、更に、排気口１１の下流側に誘引送風機あるいは真空ポンプを接続することに代えて、輸送対象粉体１の送出部側における空気吸入用フィルタ６の前後位置に送風機を設けて、該送風機にて圧送することにより、粉末送出管５、空気輸送配管１６を経て、空気輸送機８へ送られる空気１５の流れを形成させて、この空気１５の流れに同伴させて輸送対象粉体１の移送を行う形式のものを使用してもよいこと、粉末投入ホッパ２は、空気１５を流通させる粉末送出管５へ輸送対象粉体１を徐々に供給できれば、収納容器４に代えて、所要の供給装置や搬送装置等の出口側から輸送対象粉体１を直接受け入れる形式のものであってもよいこと、更に、送出部を所要の燃焼設備とし、粉体回収部をバグフィルタ等の集塵装置として、上記燃焼設備より排出される飛灰等の焼却ダストを燃焼排ガスの流れに同伴させて上記集塵装置まで空気輸送するようにしてある空気輸送配管１６としての排ガスダクトの洗浄にも適用できること、洗浄剤１９は、水以外にも輸送対象粉体１の性状に応じて該輸送対象粉体１の洗浄に適したものを適宜選択すればよいこと、その他本発明の要旨を逸脱しない範囲内において種々変更を加え得ることは勿論である。
【００２９】
【発明の効果】
以上述べた如く、本発明によれば、以下の如き優れた効果を発揮する。
（１）  輸送対象粉体を空気とともに輸送するようにしてある空気輸送配管内を洗浄するとき、該空気輸送配管の少なくとも一端側を閉塞させた後、該空気輸送配管内に洗浄剤を注入して他端側より排出させるように流通させるようにして、空気輸送配管内を洗浄する空気輸送配管の洗浄方法とし、又、輸送対象粉体を空気の流れに同伴させて送出できるようにしてある粉体送出部から、空気の流れに同伴される輸送対象粉体を受け入れて空気より分離して回収できるようにしてある粉体回収部まで輸送対象粉体を空気とともに輸送するようにしてある空気輸送配管内を洗浄するとき、該空気輸送配管の上記粉体回収部側の一端部側を閉塞させた後、該空気輸送配管内に洗浄剤を注入し流通させて他端部側より排出させるようにして、上記空気輸送配管内に付着、残留する輸送対象粉体を除去し空気輸送配管内を洗浄する空気輸送配管の洗浄方法、及び、輸送対象粉体を空気の流れに同伴させて送出できるようにしてある粉体送出部から、空気の流れに同伴される輸送対象粉体を受け入れて空気より分離して回収できるようにしてある粉体回収部まで輸送対象粉体を空気とともに輸送するようにしてある空気輸送配管の上記粉体回収部側の一端部側に、開閉弁を設けると共に、上記粉体送出部に接続される他端部側を開閉自在なドレン弁付きのドレン口に連通させ、且つ上記空気輸送配管の上記開閉弁近傍位置又は粉体送出部への接続部寄りの端部位置のいずれか一方に、開閉弁付きの洗浄剤注入口を設けてなる構成を有する空気輸送配管の洗浄装置としてあるので、空気輸送配管内に洗浄剤を流通させることにより、空気輸送配管の内面に付着、残留する輸送対象粉体を洗浄して除去できることから、上記空気輸送配管を取り外すことなく洗浄でき、このため上記輸送対象粉体が大気中に暴露、飛散する虞をなくすことができる。
（２）  輸送対象粉体を空気とともに輸送するようにしてある空気輸送配管内を洗浄するとき、該空気輸送配管の両端側を閉塞させた後、該空気輸送配管内に洗浄剤を注入して充満させるようにし、しかる後、上記空気輸送配管内から洗浄剤を排出して該空気輸送配管を取り外して洗浄する空気輸送配管の洗浄方法とし、又、輸送対象粉体を空気の流れに同伴させて送出できるようにしてある粉体送出部から、空気の流れに同伴される輸送対象粉体を受け入れて空気より分離して回収できるようにしてある粉体回収部まで輸送対象粉体を空気とともに輸送するようにしてある空気輸送配管内を洗浄するとき、該空気輸送配管の上記粉体回収部側の一端部側と他端部側を閉塞させた後、該空気輸送配管内に洗浄剤を注入して空気輸送配管内に充満させ、次いで、上記空気輸送管内に充満させた洗浄剤を排出させ、しかる後、上記空気輸送配管を、粉体送出部及び粉体回収部より取り外してから該空気輸送配管内に付着、残留する輸送対象粉体を除去し空気輸送配管内を洗浄する空気輸送配管の洗浄方法とすると、空気輸送配管内に付着、残留する輸送対象粉体を、該空気輸送配管内に一旦洗浄剤を満たすことによって濡れた状態とさせることができ、したがって、その後、空気輸送配管を取り外して洗浄するときに、上記輸送対象粉体の粉末が飛散する虞を未然に防止することができる。
（３）  したがって、輸送対象粉体の粉末を作業者が吸い込む虞を未然に防止できることから、作業者の作業環境の向上を図ることができると共に、環境汚染が生じる虞を未然に防止することができる。
【図面の簡単な説明】
【図１】本発明の空気輸送配管の洗浄方法及び装置の実施の一形態を示すもので、（イ）は輸送対象粉体の空気輸送を行う状態を、（ロ）は空気輸送配管内を洗浄剤にて洗浄する状態をそれぞれ示す概要図である。
【図２】図１の装置を用いて行う空気輸送配管の洗浄方法の実施の他の形態における手順を示すもので、（イ）は空気輸送配管内に洗浄剤を充満させる状態を、（ロ）は空気輸送配管内に充満させた洗浄剤を排出させた状態をそれぞれ示す概要図である。
【図３】従来用いられている空気輸送設備の一例の概要を示す図である。
【符号の説明】
１  輸送対象粉体
２  粉末投入ホッパ（粉体送出部）
５  粉末送出管（粉体送出部）
８  空気輸送機（粉体回収部）
１５  空気
１６  空気輸送配管
１８  開閉弁
１９  洗浄剤
２０  洗浄剤注入口
２１  開閉弁
２３  ドレン弁
２４  ドレン口
【図１】
2004244206.tif 000003
【図２】
2004244206.tif 000004
【図３】
2004244206.tif 000005